(57)【特許請求の範囲】
【請求項１】
重層多階構造物の床に着脱自在な開口床を設け、該開口床は床面整合用の上段覆工用プレキャストコンクリート版と下段プレキャストプレストレストコンクリート版とで形成された床構造とし、
前記下段のプレキャストプレストレストコンクリート版は、複数のブロックに分割され、緊張材を挿通・抜取可能な挿通孔が形成され、該挿通孔に緊張材を挿通して各ブロックを接合すると同時にプレストレスが導入されるよう形成されたことを特徴とする開口自在な床構造。
【請求項２】
前記上段のプレキャストコンクリート版は複数に分割されていることを特徴とする請求項１記載の開口自在な床構造。
【発明の詳細な説明】
【０００１】
【発明の属する技術分野】
本発明は、開口自在な床構造に関する。さらに詳しくは、重層多階構造物のコンクリート床の一部に、着脱自在な開口床を設け、開口床をプレキャストコンクリート版で形成した開口自在な床構造に関する。
【０００２】
【従来の技術】
見本市などの展示会場は幕張メッセや晴海見本市会場などに代表されるように、平面的に大きな構造物で行われることとが多く、その展示物が小さい場合はその会場建物内に展示可能であるが、長大な展示物、特に立体的に大きなものは室内展示場に収容することが困難となり、隣接する露天の開放空間に展示することとなる。これらの展示会場は、広大な面積を必要とするため、都心から離れた郊外に立地され、参会者、見学者の交通の便に難がある。大規模な展示会であればこれらの不便を加味しても十分メリットがあるが、テーマを限定した小規模な展示会を交通の便の良い都心に近いビルなどで開催したい場合がある。
【０００３】
しかし、ビル内に長大な展示物を展示するには、常設の展示会場であればビルの建設当初から計画して構築しておけばよいが、年に数回、数年に一回などの頻度で間欠的に、かつ比較的短期間だけ展示会場として使用する場合には、いかにも不経済である。
【０００４】
【発明が解決しようとする課題】
本発明は上記問題点を解決した開口自在な床構造を開発し、これを提供することを目的とするものである。
【０００５】
本発明は、例えば通常はオフィス空間などとして使用し、必要に応じて速やかに階層を貫く展示物の展示が可能な展示会場に転用可能で、展示会終了後は元のオフィス空間などに復元することが可能な構造の床構造を提供することを目的とする。
【０００６】
【課題を解決するための手段】
本発明は、上記問題点を解決するためになされたもので、次の技術手段を講じたことを特徴とする開口自在な床構造である。
【０００７】
本発明は、重層多階構造物の床に着脱自在な開口床を設け、該開口床は床面整合用の上段覆工用プレキャストコンクリート版と下段プレキャストプレストレストコンクリート版とで形成された床構造とし、
前記下段のプレキャストプレストレストコンクリート版は、複数のブロックに分割され、緊張材を挿通・抜取可能な挿通孔が形成され、該挿通孔に緊張材を挿通して各ブロックを接合すると同時にプレストレスが導入されるよう形成されたことを特徴とする開口自在な床構造である。
【０００８】
上記開口自在な床構造において、前記上段のプレキャストコンクリート版は複数に分割されていると取扱いが容易で好適である。
【０００９】
【発明の実施の形態】
以下図面を参照して本発明の実施の形態を説明する。図１は本発明の実施例建物１の一郭を示す立面図である。図は３階分を示しているが、これに限定されるわけではない。２，３階の床面２、３の一部が開口部２ａ，３ａとして開口され、長大な展示物１０１が床面２、３を貫いて展示される様子を示している。建物の各階には床面２、３上に展示可能な展示物１０２をそれぞれ展示している様子を示している。
【００１０】
図２は平面図で、図１のＡ−Ａ矢視図を示している。柱５と大梁７で囲繞された空間の開口部を閉塞している開口部閉塞床１１は恒常床１２と共に通常のオフィス床として使用されるようになっている。開口部閉塞床１１は、一定の幅を有する多数のプレキャスト版（閉塞版１３）を並べた構造となっている。
【００１１】
図３は開口を有する床面の平面図で、図１のＢ−Ｂ矢視図である。下階から立設展示される長大な展示物１０１が床面２を貫通して展示されている図である。開口部２ａを除く他の恒常床１２には小型の展示物を展示することができる。
【００１２】
図４は図２のＣ−Ｃ矢視図で、開口部閉塞版１３の側面図である。閉塞版１３は、小梁８に支承されたプレキャストコンクリート版２１及びプレキャストプレストレストコンクリート版３１の上下二段構造となっており、プレキャストコンクリート版２１はその長手方向が２分割となっており、プレストレストプレキャストコンクリート版３１はその長手方向が３分割となっている。それぞれの接合目地２２、３２は非付着性充填材を用いるか又はドライジョイントとなっており、分割部で分割して解体再使用が可能になっている。このプレキャストコンクリート版２１及びプレキャストプレストレストコンクリート版３１が長手方向に分割されているのは、閉塞版１３の解体、再組立を同じフロアの恒常床１２上で行うことができるようにするためである。すなわち、大型の作業機械を導入することができないため、軽量にするためのものである。また、閉塞版１３を２段構造とするのは、下側のプレキャストプレストレストコンクリート版３１が分割された部材をＰＣ緊張材によってプレストレッシングするため、むくり（上そり）を生じ隣接する恒常床１２との平面性が取り難くなるためで、その整合のために上側に薄いプレキャストコンクリート版２１を覆工するものである。
【００１３】
図５はプレキャストコンクリート版２１の詳細図で、プレキャストコンクリート版２１の側面図、図７、８、９はそれぞれ図５のＤ−Ｄ矢視図、Ｅ−Ｅ矢視図、Ｆ−Ｆ矢視図である。図６はプレキャストプレストレストコンクリート版３１の側面図で、図１０、１１、１２はそれぞれそのＧ−Ｇ矢視図、Ｈ−Ｈ矢視図、Ｉ−Ｉ矢視図である。
【００１４】
プレキャストプレストレストコンクリート版３１は、組立時は、恒常床部分で分割された各ブロックを目地３２を対向させて並べ、ステム部分のシースで形成された緊張材挿通孔にＰＣ緊張材を挿通して、ＰＣ緊張材で分割された各ブロックを接合すると同時にプレストレスを導入し開口部分の小梁に載置部３５を支承させて架設する。閉塞床版解体時には、恒常床面に吊り上げ移動し、プレストレスを開放し緊張材を抜き取り、保存収納される。
【００１５】
図１３はプレキャストプレストレストコンクリート版３１のＰＣ緊張材の定着に好適な定着具３４の一例を示すもので、シース３６で形成された挿通孔内に防錆処理されたアンボンドＰＣ鋼棒３３を使用した例を示すものである。部材端部に箱抜き内装された支圧板３７を介して、外ねじ付ワッシャ４１、ナット３８で定着される。この外ねじ付ワッシャ４１には外ねじが切ってあり、防錆グリース４３を充填した保護キャップ４２を螺嵌することができるようになっている。
【００１６】
上記実施例ではプレキャストコンクリート版を長手方向に２分割、プレキャストプレストレストコンクリート版を長手方向に３分割した例を示したが、本発明はこれに限定されるわけではなく、スパン長、部材重量を勘案して適宜決定すればよいことはもちろんである。
【００１７】
【発明の効果】
本発明によれば、例えば都心に近い交通の便の良いビル内に、通常はオフィスビルとして使用しているものを一時的に多層階に亘るような長大な展示物を展示可能な展示場に模様替えし、展示終了後は元の状態に復元する場合などに好適な、建築物を提供することができるようになった。この床は取り外し及び再組立可能な開口部を設けたので開口部を閉塞する床版は、恒常床面で作業が可能なように軽量に分割され、保存解体、再使用可能なプレキャストコンクリート版で形成されており、さらに、プレキャストコンクリート版は２段構造とすればプレストレス導入による「むくり」の補正が可能であり好適である。この建物は必要に応じ使い分けることができ、無駄のない用途の転換が可能となり、優れた効果を奏する。
【図面の簡単な説明】
【図１】実施例の開口自在な床構造を有する建物の側断面図である。
【図２】図１のＡ−Ａ矢視図である。
【図３】図１のＢ−Ｂ矢視図である。
【図４】図２のＣ−Ｃ矢視図である。
【図５】プレキャストコンクリート版の側断面図である。
【図６】プレキャストプレストレストコンクリート版の側断面図である。
【図７】図５のＤ−Ｄ矢視図である
【図８】図５のＥ−Ｅ矢視図である
【図９】図５のＦ−Ｆ矢視図である
【図１０】図６のＧ−Ｇ矢視図である
【図１１】図６のＨ−Ｈ矢視図である
【図１２】図６のＩ−Ｉ矢視図である
【図１３】定着具の一例を示す定着部の断面図である。
【符号の説明】
１    建物
２    床面
２ａ，３ａ    開口部
３    床面
４    床面
５    柱
７    大梁
８    小梁
１１    開口部閉塞床
１２    恒常床
１３    閉塞版
２１    プレキャストコンクリート版
２２    目地
３１    プレキャストプレストレストコンクリート版
３２    目地
３３    ＰＣ鋼材（アンボンドＰＣ鋼棒）
３４    定着具
３５    載置部
３６    シース
３７    支圧板
３８    ナット
４１    外ねじ付ワッシャ
４２    保護キャップ
４３    グリース
１０１    長大な展示物
１０２    小型の展示物
【図１】
0004002382.tif 000002
【図２】
0004002382.tif 000003
【図３】
0004002382.tif 000004
【図４】
0004002382.tif 000005
【図５】
0004002382.tif 000006
【図６】
0004002382.tif 000007
【図７】
0004002382.tif 000008
【図８】
0004002382.tif 000009
【図９】
0004002382.tif 000010
【図１０】
0004002382.tif 000011
【図１１】
0004002382.tif 000012
【図１２】
0004002382.tif 000013
【図１３】
0004002382.tif 000014